(57)【要約】      （修正有）【課題】マクロセルからのパッシブ支援を用いてフェムトセルの位置を特定するユーザ機器（ＵＥ）のための方法を提供する。【解決手段】ＵＥは、（ａ）少なくとも１つのフェムトセルの位置を特定するためにモバイルに常駐するデータベースに情報を記憶することと、（ｂ）少なくとも１つのマクロセルから、ＵＥの位置情報を受信することと、（ｃ）ＵＥが少なくとも１つのフェムトセルの略近傍にあるかどうかを判断するためにデータベース内を検索することと、（ｄ）略近傍にある場合、フェムトセルに対応するデータベース情報を使用してフェムトセルにアクセスする。【選択図】図５
2014030195.tif 000002
【特許請求の範囲】
【請求項１】
フェムトセルの位置を特定するユーザ機器（ＵＥ）のための方法であって、
少なくとも１つのフェムトセルの位置を特定する情報をデータベースに記憶することと、
少なくとも１つのマクロセルから、前記ＵＥの位置情報を受信することと、
前記ＵＥが少なくとも１つのフェムトセルの略近傍にあるかどうかを判断するために前記データベース内を検索することと、
略近傍にある場合、前記フェムトセルに対応する前記データベース情報を使用して前記フェムトセルにアクセスすることと、
を備える方法。
【請求項２】
システムＩＤデータベースエントリが前記フェムトセルの周りの前記マクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致する、一致を求めて前記データベースを検索することと、
一致がある場合、前記ＵＥをフェムトセル周波数ＦＦに同調させることと、
ＣＤＭＡ信号のサンプルセグメントを取り出すことと、
パイロットＰＮオフセット（Offset）のパイロット検索を行うことと、
一致がない場合、前記ＵＥをマクロセル周波数ＦＭに同調させることと、
をさらに備える、請求項１に記載の方法。
【請求項３】
十分なＥＣ／Ｉ０をもつ前記パイロットＰＮオフセットを求めて前記データベースを検索することと、
十分なＥＣ／Ｉ０の前記パイロットＰＮオフセットが発見された場合、前記ＵＥによって前記フェムトセルのアイドルハンドオフ（ＨＯ：Handoff）を実行することと、
十分なＥＣ／Ｉ０のパイロットＰＮオフセットが発見されなかった場合、前記ＵＥを前記マクロセル周波数ＦＭに同調させることと、
をさらに備える、請求項２に記載の方法。
【請求項４】
前記ＵＥによってフェムトセルページングチャネルを復調することと、
前記フェムトセルのシステムパラメータメッセージ（ＳＰＭ：System Parameters Message）を入手することと、
前記ＵＥを前記フェムトセルに登録することと、
をさらに備える、請求項３に記載の方法。
【請求項５】
復調プロセスが、
前記ＵＥによって、パラメータ、システムＩＤと，ネットワークＩＤと，基地ＩＤとを確認することと、
前記フェムトセルＳＰＭ中でブロードキャストされた、前記フェムトセルのシステムＩＤと、前記フェムトセルの前記ネットワークＩＤと、基地ＩＤと一致させることと、
一致が確認できなかった場合、前記フェムトセルにアクセスすることを許されるかどうかを判断するために前記フェムトセルへの登録を試みることと、
をさらに備える、請求項４に記載の方法。
【請求項６】
ユーザ機器（ＵＥ）であって、
前記ＵＥによって取得され、前記ＵＥに対して個別設定され、前記ＵＥに記憶されたフェムトセルのデータベースを備え、
データベース情報が、フェムトセルごとに、搬送周波数と、位置と、所与のしきい値よりも高いＥＣ／Ｉ０をもつＣＤＭＡパイロット（Pilots）オフセットのリストと、前記フェムトセルのシステムＩＤと、前記フェムトセルのネットワークＩＤと、前記フェムトセルのブロードキャストされた基地ＩＤと、を含み、
前記ＵＥが少なくとも１つのフェムトセルの略近傍にあるかどうかを判断するために、前記ＵＥが前記データベースを検索し、
略近傍にある場合、前記ＵＥが前記フェムトセルに対応する前記データベース情報を使用して前記フェムトセルにアクセスする、
ユーザ機器（ＵＥ）。
【請求項７】
前記データベース中に一致がある場合のみ、前記フェムト検索が行われる、請求項６に記載のユーザ機器（ＵＥ）。
【請求項８】
前記データベースの一致は、システムＩＤが前記フェムトセルの周りの前記マクロシステムの前記システムＩＤに一致し、ネットワークＩＤが前記フェムトセルの周りの前記マクロシステムの前記ネットワークＩＤに一致し、基地ＩＤが前記マクロセルの前記基地ＩＤに一致し、基地緯度が前記マクロセルの前記緯度に一致し、且つ、基地経度が前記マクロセルの前記経度に一致するときである、請求項７に記載のユーザ機器（ＵＥ）。
【請求項９】
データベースの一致がある場合、前記ＵＥをフェムトセル周波数ＦＦに同調させる、請求項８に記載のユーザ機器（ＵＥ）。
【請求項１０】
データベースの一致がない場合、前記ＵＥをマクロセル周波数ＦＭに同調させる、請求項８に記載のユーザ機器（ＵＥ）。
【請求項１１】
コンピュータに、
少なくとも１つのフェムトセルの位置を特定する情報をデータベースに記憶させ、
少なくとも１つのマクロセルから前記ＵＥの位置情報を受信させ、
前記ＵＥが少なくとも１つのフェムトセルの略近傍にあるかどうかを判断するために前記データベース内を検索させ、
略近傍にある場合、前記フェムトセルに対応する前記データベース情報を使用して前記フェムトセルにアクセスさせる、
ためのコードを備える、コンピュータ可読媒体、
を備える、コンピュータプログラム製品。
【請求項１２】
コンピュータに、
システムＩＤデータベースエントリが前記フェムトセルの周りの前記マクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、基地経度が前記マクロセルの前記経度に一致する、一致を求めて前記データベースを検索させ、
一致がある場合、前記ＵＥをフェムトセル周波数ＦＦに同調させ、
ＣＤＭＡ信号のサンプルセグメントを取り出させ、
パイロットＰＮオフセットのパイロット検索を行わせ、
一致がない場合、前記ＵＥをマクロセル周波数ＦＭに同調させる、
ためのコードをさらに備える、請求項１１に記載のコンピュータプログラム製品。
【請求項１３】
コンピュータに、
十分なＥＣ／Ｉ０をもつ前記パイロットＰＮオフセットを求めて前記データベースを検索させ、
十分なＥＣ／Ｉ０の前記パイロットＰＮオフセットが発見された場合、前記ＵＥによって前記フェムトセルのアイドルハンドオフ（ＨＯ）を実行させ、
十分なＥＣ／Ｉ０のパイロットＰＮオフセットが発見されなかった場合、前記ＵＥを前記マクロセル周波数ＦＭに同調させる、
ためのコードをさらに備える、請求項１１に記載のコンピュータプログラム製品。
【請求項１４】
コンピュータに、
前記ＵＥによってフェムトセルページングチャネルを復調させ、
前記フェムトセルのシステムパラメータメッセージ（ＳＰＭ）を入手させ、
前記ＵＥを前記フェムトセルに登録させる、
ためのコードをさらに備える、請求項１１に記載のコンピュータプログラム製品。
【請求項１５】
コンピュータに、
前記ＵＥによって、パラメータ、システムＩＤと，ネットワークＩＤと，基地ＩＤとを確認させ、
前記フェムトセルＳＰＭ中でブロードキャストされた、前記フェムトセルのシステムＩＤと、前記フェムトセルの前記ネットワークＩＤと、基地ＩＤと一致させ、
一致が確認できなかった場合、前記フェムトセルにアクセスすることを許されるかどうかを判断するために前記フェムトセルへの登録を試みさせる、
ためのコードをさらに備える、請求項１４に記載のコンピュータプログラム製品。
【請求項１６】
少なくとも１つのフェムトセルの位置を特定する情報をデータベースに記憶するための手段と、
少なくとも１つのマクロセルからＵＥの位置情報を受信するための手段と、
前記ＵＥが少なくとも１つのフェムトセルの略近傍にあるかどうかを判断するために前記データベース内を検索するための手段と、
略近傍にある場合、前記フェムトセルに対応する前記データベース情報を使用して前記フェムトセルにアクセスするための手段と、
を備える、フェムトセルの位置を特定する装置。
【請求項１７】
システムＩＤデータベースエントリが前記フェムトセルの周りの前記マクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致する、一致を求めて前記データベースを検索するための手段と、
一致がある場合、前記ＵＥをフェムトセル周波数ＦＦに同調させることと、
ＣＤＭＡ信号のサンプルセグメントを取り出すことと、
パイロットＰＮオフセットのパイロット検索を行うことと、
一致がない場合、前記ＵＥをマクロセル周波数ＦＭに同調させることと、
をさらに備える、請求項１６に記載の装置。
【請求項１８】
十分なＥＣ／Ｉ０をもつ前記パイロットＰＮオフセットを求めて前記データベースを検索するための手段と、
十分なＥＣ／Ｉ０の前記パイロットＰＮオフセットが発見された場合、前記ＵＥによって前記フェムトセルのアイドルハンドオフ（ＨＯ）を実行するための手段と、
十分なＥＣ／Ｉ０のパイロットＰＮオフセットが発見されなかった場合、前記ＵＥを前記マクロセル周波数ＦＭに同調させるための手段と、
をさらに備える、請求項１７に記載の装置。
【請求項１９】
前記ＵＥによってフェムトセルページングチャネルを復調するための手段と、
前記フェムトセルのシステムパラメータメッセージ（ＳＰＭ）を入手するための手段と、
前記ＵＥを前記フェムトセルに登録するための手段と、
をさらに備える、請求項１８に記載の装置。
【請求項２０】
復調するための手段が、
前記ＵＥによって、パラメータ、システムＩＤと，ネットワークＩＤと，基地ＩＤとを確認するための手段と、
前記フェムトセルＳＰＭ中でブロードキャストされた、前記フェムトセルのシステムＩＤと、前記フェムトセルの前記ネットワークＩＤと、基地ＩＤと一致させるための手段と、
一致が確認できなかった場合、前記フェムトセルにアクセスすることを許されるかどうかを判断するために前記フェムトセルへの登録を試みるための手段と、
をさらに備える、請求項１９に記載の装置。
【請求項２１】
フェムトセルの位置を特定するユーザ機器（ＵＥ）のための方法であって、
ある時間期間にわたって総パイロット位相偏差を推定することによってモビリティの程度を評価することができる、前記ＵＥが低モビリティ状態であるかどうかを前記ＵＥによって判断することと、
フェムトセルが展開される周波数に同調させることと、
信号サンプルを取り出すことと、
フェムトセル使用に確保されたすべてのパイロットＰＮオフセットの検索を行うことと、
前記フェムトセルを発見することと、
前記フェムトセルが使用を許可されているかどうかを前記ＵＥによって判断することと、
許可されている場合、前記ＵＥを前記フェムトセルに登録することと、
許可されていない場合、マクロシステムの監視に戻ることと、
を備える方法。
【請求項２２】
そのモビリティ状態を評価するために、前記ＵＥが、複数のマクロセルのパイロット位相偏移を使用する、請求項２１に記載の方法。
【請求項２３】
前記ＵＥが、前記マクロセルからのそのネイバーリスト中でパイロットを検索し、前記パイロット位相に関する未加工情報を入手し、それに基づいてそのモビリティ状態を決定する、請求項２１に記載の方法。
【請求項２４】
前記ＵＥが、前記ＵＥが監視する前記マクロシステム上のページを開放することなくサンプルを取り出す、請求項２１に記載の方法。
【請求項２５】
対象とされる検索のために取り出された前記サンプルが、新たなフェムトセルを発見するために再利用され得る、請求項２４に記載の方法。
【請求項２６】
ある時間期間にわたって総パイロット位相偏差を推定することによってモビリティの程度を評価することができる、前記ＵＥが低モビリティ状態であるかどうかを前記ＵＥによって判断するための手段と、
フェムトセルが展開される周波数に同調させるための手段と、
信号サンプルを取り出すための手段と、
フェムトセル使用に確保されたすべてのパイロットＰＮオフセットの検索を行うための手段と、
前記フェムトセルを発見するための手段と、
前記フェムトセルが使用を許可されているかどうかを前記ＵＥによって判断するための手段と、
許可されている場合、前記ＵＥを前記フェムトセルに登録するための手段と、
許可されていない場合、マクロシステムの監視に戻るための手段と、
を備える、フェムトセルの位置を特定する装置。
【請求項２７】
前記ＵＥが、そのモビリティ状態を評価するために、複数のマクロセルのパイロット位相偏移を使用する、請求項２６に記載の装置。
【請求項２８】
前記ＵＥが、前記マクロセルからのそのネイバーリスト中でパイロットを検索し、前記パイロット位相に関する未加工情報を入手し、それに基づいてそのモビリティ状態を決定する、請求項２６に記載の装置。
【請求項２９】
前記ＵＥが、前記ＵＥが監視する前記マクロシステム上のページを開放することなくサンプルを取り出す、請求項２６に記載の装置。
【請求項３０】
対象とされる検索のために取り出された前記サンプルが、新たなフェムトセルを発見するために再利用され得る、請求項２６に記載の装置。
【請求項３１】
コンピュータに、
ある時間期間にわたって総パイロット位相偏差を推定することによってモビリティの程度を評価することができる、前記ＵＥが低モビリティ状態であるかどうかを前記ＵＥによって判断させ、
フェムトセルが展開される周波数に同調させ、
信号サンプルを取り出させ、
フェムトセル使用に確保されたすべてのパイロットＰＮオフセットの検索を行わせ、
前記フェムトセルを発見させ、
前記フェムトセルが使用を許可されているかどうかを前記ＵＥによって判断させ、
許可されている場合、前記ＵＥを前記フェムトセルに登録させ、
許可されていない場合、マクロシステムの監視に戻させる、
ためのコードを備える、コンピュータ可読媒体、
を備える、コンピュータプログラム製品。
【請求項３２】
前記ＵＥが、そのモビリティ状態を評価するために、複数のマクロセルのパイロット位相偏移を使用する、請求項３１に記載のコンピュータプログラム製品。
【請求項３３】
コンピュータに、
前記マクロセルからのそのネイバーリスト中でパイロットを検索させ、前記パイロット位相に関する未加工情報を入手させ、それに基づいてそのモビリティ状態を決定させる、
ためのコードをさらに備える、請求項３１に記載のコンピュータプログラム製品。
【請求項３４】
コンピュータに、前記ＵＥが監視する前記マクロシステム上のページを開放することなくサンプルを取り出させるためのコードをさらに備える、請求項３１に記載のコンピュータプログラム製品。
【請求項３５】
コンピュータに、新たなフェムトセルを発見するために再利用するための、対象とされる検索のためのサンプルを取り出させるためのコードをさらに備える、請求項３１に記載のコンピュータプログラム製品。
【請求項３６】
ユーザ機器（ＵＥ）であって、
ある時間期間にわたって総パイロット位相偏差を推定することによってモビリティの程度を評価することができる、前記ユーザ機器の低モビリティ状態を判断するプロセッサと、
フェムトセルが展開される周波数に同調させる受信機と、
を備え、
前記プロセッサは、信号サンプルを取り出し、フェムトセル使用に確保されたすべてのパイロットＰＮオフセットの検索を行い、前記フェムトセルを発見し、前記フェムトセルが使用を許可されているかどうかを判断し、
許可されている場合、前記ＵＥ自体を前記フェムトセルに登録し、
許可されていない場合、マクロシステムの監視に戻る、
ユーザ機器（ＵＥ）。
【請求項３７】
前記ＵＥが、そのモビリティ状態を評価するために、複数のマクロセルのパイロット位相偏移を使用する、請求項３６に記載のユーザ機器（ＵＥ）。
【請求項３８】
前記ＵＥが、前記マクロセルからのそのネイバーリスト中でパイロットを検索し、前記パイロット位相に関する未加工情報を入手し、それに基づいてそのモビリティ状態を決定する、請求項３６に記載のユーザ機器（ＵＥ）。
【請求項３９】
前記ＵＥが、前記ＵＥが監視する前記マクロシステム上のページを開放することなくサンプルを取り出す、請求項３６に記載のユーザ機器（ＵＥ）。
【請求項４０】
対象とされる検索のために取り出された前記サンプルが、新たなフェムトセルを発見するために再利用され得る、請求項３６に記載のユーザ機器（ＵＥ）。
【発明の詳細な説明】
【技術分野】
【０００１】
米国特許法第１１９条に基づく優先権の主張
本特許出願は、本出願の譲受人に譲渡され、参照により本明細書に明白に組み込まれる、２００７年１０月１２日に出願された「SYSTEM AND METHOD FOR FINDING FEMTO CELL WITH PASSIVE ASSISTANCE FROM A MACRO CELLULAR WIRELESS NETWORK」と題する仮出願第６０／９７９，７９９号の優先権を主張する。
【０００２】
本出願は、一般にワイヤレス通信に関し、より詳細には、マクロセルラワイヤレスネットワークからのパッシブ支援を用いてフェムトセルまたはアクセスポイント基地局の識別を可能にする方法およびシステムに関する。
【背景技術】
【０００３】
ワイヤレス通信システムは、様々なタイプの通信（たとえば、音声サービス、データサービス、マルチメディアサービスなど）を複数のユーザに提供するために広く展開されている。高速なマルチメディアデータサービスの需要が急速に増大するにつれて、向上した性能をもつ効率的で堅牢な通信システムを実装することが課題となっている。
【０００４】
近年、ユーザは、固定回線通信の代わりにモバイル通信を使用し始めており、高い音声品質、確実なサービス、および低価格をますます要求している。
【０００５】
現在展開されている携帯電話ネットワークに加えて、ユーザの家に設置され、既存のブロードバンドインターネット接続を使用してモバイルユニットに屋内ワイヤレスカバレージを与えることができる小さい基地局の新しいクラスが出現した。そのようなパーソナル小型基地局は、一般に、アクセスポイント基地局、または、代替的に、Ｈｏｍｅ  ＮｏｄｅＢ（ＨＮＢ）またはフェムトセルとして知られている。典型的には、そのような小型基地局は、ＤＳＬルータまたはケーブルモデムを介してインターネットおよびモバイルオペレータのネットワークに接続される。
【０００６】
移動局およびフェムトセルの問題の１つは、移動局（ＭＳ：Mobile Station）（時々、ユーザ機器（User Equipment）ＵＥまたはアクセス端末（Access Terminal）ＡＴとも呼ばれる）がマクロセルラネットワーク上で動作しているとき、移動局がどのようにフェムトセルを発見するかである。移動局は、フェムトセルによって使用される周波数とは異なる周波数上にあることがある。フェムトセルは、いくつかの利用可能な搬送周波数のうちの１つを再利用することができる。モバイルがマクロセルラネットワークを使用しているときにちょうどその周波数上にない場合、モバイルはフェムトセルのカバレージ内にあるが、モバイルは、フェムトセルを捕え損ない、マクロセル上で動作し続けるであろう。さらに、フェムトセルを発見する方法があるとしても、モバイルはそれにアクセスすることを許可されない（アクセスが制限される）ことがある。新たなフェムトセルが絶えず稼動させられることにより、問題はさらに複雑化する。
【０００７】
現在提案されている解決策は、パイロットビーコンを使用して、フェムトセルによって使用される周波数上のフェムトセルの存在を他の周波数上でシグナリングするものである。この手法は、他の周波数上の干渉を増すという弱点がある。他の提案はフェムトセルの一定周期検索を含み、これはバッテリ寿命を損なうことがある。したがって、マクロセルラワイヤレスネットワークからのパッシブ支援を用いてフェムトセルの位置を特定することが可能なモバイルデバイスが当技術分野では必要である。
【発明の概要】
【０００８】
本発明は、関連技術の１つまたは複数の欠点を実質的に解消する、マクロセルラワイヤレスネットワークからのパッシブ支援を用いてフェムトセルの位置を特定するシステムおよび方法に関する。
【０００９】
本発明の一態様では、フェムトセルの位置を特定する移動局のためのシステム、方法およびコンピュータ製品があり、本方法は、（ａ）ＵＥが法定状態であるかどうかを判断することを備え、ある時間期間にわたって総パイロット位相偏差を推定することによってモビリティの程度を評価することができ、（ｂ）ＵＥによってフェムトセル周波数走査を実行することと、（ｃ）フェムトセル使用に確保されたパイロットＰＮオフセット（Pilot PN Offset）の検索を行うことと、（ｄ）フェムトセルを発見することと、（ｅ）フェムトセルが使用を許可されているかどうかを判断することと、（ｆ）ＵＥをフェムトセルに登録することと、を備える。
【００１０】
他の態様では、ＷＣＤＭＡパイロットは、「ゴールドコード（Gold Codes）」と呼ばれる、基地局（ＮｏｄｅＢ）を一意に識別する同期コードを使用する。ＷＤＣＭＡ技術では、移動局は、フェムトセル使用のために確保されたゴールドコード（Gold Codes）を使用してすべてのパイロットの検索を行うことによって、フェムトセルの位置を特定する。
【００１１】
本発明の他の態様では、フェムトセルの位置を特定する移動局のためのシステム、方法およびコンピュータ製品があり、本方法は、（ａ）少なくとも１つのフェムトセルの位置を特定するためにモバイルに常駐するデータベースに情報を記憶することと、（ｂ）少なくとも１つのマクロセルから、ＵＥの位置情報を受信することと、（ｃ）ＵＥが少なくとも１つのフェムトセルの略近傍にあるかどうかを判断するためにデータベース内を検索することと、（ｄ）略近傍にある場合、フェムトセルに対応するデータベース情報を使用してフェムトセルにアクセスすることと、を備える。
【００１２】
システムＩＤがフェムトセルの周りのマクロシステムのシステムＩＤに一致し、ネットワークＩＤがフェムトセルの周りのマクロシステムのネットワークＩＤに一致し、基地局ＩＤがマザーセル（マクロセル）の基地局ＩＤに一致し、基地局緯度がマザーセルの緯度に一致し、基地経度がマザーセルの経度に一致する、一致を求めてデータベースを検索する。
【００１３】
一致がある場合、上述のデータベースに記憶されたフェムトセル周波数であるＦＦにＵＥを同調させ、ＣＤＭＡ信号のサンプルセグメントを取り出し、上述のデータベースにおいても識別されるパイロットのフェムトセルパイロット検索を行う。ＣＤＭＡ２０００の場合、検索はフェムトパイロットＰＮオフセット（Pilot PN Offset）の検索であり、ＷＣＤＭＡの場合、このフェムトセルパイロットによって使用されるゴールドコードの検索である。他の無線技術では、この目的のために検索される他のパラメータがあることができる。
【００１４】
本発明の追加の特徴および利点は、以下の説明において示され、一部は説明から明らかになり、または本発明の実施によって習得できる。本発明の利点は、本発明の明細書および特許請求の範囲ならびに添付の図面において詳細に示される構造によって実現および達成される。
【００１５】
前述の概略説明も、以下の詳細な説明も、例示的および説明的なものであり、請求する本発明のさらなる説明を与えるものであることを理解されたい。
【図面の簡単な説明】
【００１６】
【図１】例示的なワイヤレス通信システムを示す図。
【図２】ネットワーク環境内でアクセスポイント基地局の展開を可能にするための例示的な通信システムを示す図。
【図３】フェムトセルの自律的なカスタマイズされた発見の改良を示す図。
【図４】フェムトコンスタレーション（constellation）データベース（ＦＣＤ）を使用するフェムトセル検索を示す図。
【図５】一実施形態による、フェムトセルの位置を特定するユーザ機器（ＵＥ）のための方法を示す図。
【図６】代替実施形態による、フェムトセルの位置を特定するＵＥのための別の方法を示す図。
【図７Ａ】ＵＥバッテリ寿命に影響を及ぼす探索的検索（exploratory search）の結果概要を示す図。
【図７Ｂ】通信コンポーネントのいくつかの例示的な態様の簡略ブロック図。
【図８】本明細書で説明する追加の態様によるシステム８００の例示的なブロック図。
【発明を実施するための形態】
【００１７】
「例示的」という単語は、本明細書では「例、事例、または例示の働きをすること」を意味するために使用する。本明細書に「例示的」と記載されたいかなる実施形態も、必ずしも他の実施形態よりも好ましいまたは有利であると解釈されるべきではない。本明細書で説明する技法は、符号分割多重接続（ＣＤＭＡ：Code Division Multiple Access）ネットワーク、時分割多重接続（ＴＤＭＡ：Time Division Multiple Access）ネットワーク、周波数分割多重接続（ＦＤＭＡ：Frequency Division Multiple Access）ネットワーク、直交ＦＤＭＡ（ＯＦＤＭＡ：Orthogonal FDMA）ネットワーク、シングルキャリアＦＤＭＡ（ＳＣ−ＦＤＭＡ：Single-Carrier FDMA）ネットワークなど様々なワイヤレス通信ネットワークに対して使用できる。「ネットワーク」および「システム」という用語は、しばしば互換的に使用される。ＣＤＭＡネットワークは、汎用地上波無線アクセス（ＵＴＲＡ：Universal Terrestrial Radio Access）、ｃｄｍａ２０００などの無線技術を実装することができる。ＵＴＲＡは、広帯域ＣＤＭＡ（Ｗ−ＣＤＭＡ：Wideband-CDMA）および低チップレート（ＬＣＲ：Low Chip Rate）を含む。ｃｄｍａ２０００は、ＩＳ−２０００、ＩＳ−９５、およびＩＳ−８５６規格をカバーする。ＴＤＭＡネットワークは、広域移動体通信システム（ＧＳＭ（登録商標）：Global System for Mobile Communications）などの無線技術を実装することができる。ＯＦＤＭＡネットワークは、進化型ＵＴＲＡ（Ｅ−ＵＴＲＡ：Evolved UTRA）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実施することができる。ＵＴＲＡ、Ｅ−ＵＴＲＡ、およびＧＳＭは、ユニバーサル移動体通信システム（ＵＭＴＳ：Universal Mobile Telecommunication System）の一部である。ロングタームエボリューション（ＬＴＥ：Long Term Evolution）は、Ｅ−ＵＴＲＡを使用するＵＭＴＳの今度のリリースである。Ｕ
ＴＲＡ、Ｅ−ＵＴＲＡ、ＧＳＭ、ＵＭＴＳおよびＬＴＥは、「第３世代パートナーシッププロジェクト」（３ＧＰＰ：3rd Generation Partnership Project）という名称の組織からの文書に記載されている。ｃｄｍａ２０００は、「第３世代パートナーシッププロジェクト２」（３ＧＰＰ２：3rd Generation Partnership Project 2）という名称の組織からの文書に記載されている。これらの様々な無線技術および規格は当技術分野で知られている。
【００１８】
本明細書の説明では、相対的に広いエリアにわたるカバレージを与えるノードはマクロノードと呼ばれることができ、比較的小さいエリア（たとえば、住居）にわたるカバレージを与えるノードはフェムトノードと呼ばれることができる。本明細書の教示は、他のタイプのカバレージエリアに関連するノードに適用できる場合があることを諒解されたい。たとえば、ピコノードは、マクロエリアよりも小さく、フェムトエリアよりも大きいエリア（たとえば、商業建築物内のカバレージ）にわたるカバレージを与えることができる。様々な適用例では、マクロノード、フェムトノードまたは他のアクセスポイントタイプのノードを指すために他の用語が使用されることができる。たとえば、マクロノードは、アクセスノード、基地局、アクセスポイント、ｅＮｏｄｅＢ、マクロセルなどとして構成される、または呼ばれることができる。また、フェムトノードは、Ｈｏｍｅ  ＮｏｄｅＢ、Ｈｏｍｅ  ｅＮｏｄｅＢ、アクセスポイント基地局、フェムトセルなどとして構成される、または呼ばれることができる。いくつかの実装形態では、ノードは、１つまたは複数のセルまたはセクタに関連付けられる（たとえば、分割される）ことができる。マクロノード、フェムトノード、またはピコノードに関連付けられたセルまたはセクタは、それぞれ、マクロセル、フェムトセル、またはピコセルと呼ばれことができる。次に、どのようにフェムトノードをネットワーク中で展開することができるかの簡略例について、図１および図２を参照しながら説明する。
【００１９】
図１は、様々な開示する実施形態および態様が実装されることができる、多数のユーザをサポートするように構成された例示的なワイヤレス通信システム１００を示す。図１に示すように、例として、システム１００は、対応する１つまたは複数のアクセスポイント（ＡＰ）１０４、たとえばＡＰ１０４ａ〜１０４ｇによってそれぞれサービスされる、たとえばマクロセル１０２ａ〜１０２ｇなど、複数のセル１０２の通信を提供する。各マクロセルは、１つまたは複数のセクタ（図示せず）にさらに分割されることができる。さらに図１に示すように、ＡＴ１０６ａ〜１０６ｌを含み、ユーザ機器（ＵＥ）または移動局（ＭＳ）、あるいは端末デバイスとしても互換的に知られる、様々なアクセス端末（ＡＴ）デバイス１０６は、システム全体にわたって様々な位置に分散されることができる。各ＡＴ１０６は、たとえば、そのＡＴがアクティブであるかどうか、およびそのＡＴがソフトハンドオフ中であるかどうかに応じて、所与の時点において順方向リンク（ＦＬ）および／または逆方向リンク（ＲＬ）上で１つまたは複数のＡＰ１０４と通信することができる。ワイヤレス通信システム１００は広い地理的領域にわたってサービスを提供することができる。たとえば、マクロセル１０２ａ〜１０２ｇは、近隣内の数ブロックまたは田舎の環境では数平方マイルのみをカバーすることができる。
【００２０】
図２は、ネットワーク環境内でフェムトセル（アクセスポイント基地局）としても知られるフェムトノードの展開を可能にする例示的な通信システムを示す。図２に示すように、システム２００は、複数のフェムトノード、または代替として、フェムトセル、アクセスポイント基地局、Ｈｏｍｅ  ＮｏｄｅＢ（ＨＮＢ）ユニット、たとえばＨＮＢ２１０などを含み、各々は、対応する比較的小さいカバレージネットワーク環境、たとえば１つまたは複数のサイト２３０中などに設置され、たとえば、関連するユーザ機器２２０ならびに異なるユーザ機器２２５にサービスするように構成される。各ＨＮＢ２１０は、インターネット２４０などワイドエリアネットワークに結合され、さらにそれを介して通信するように構成され、（「コアネットワーク」とも呼ばれる）マクロモバイルオペレータコアネットワーク２５０を含むインターネット上のノードに結合されることができる。例示的な構成では、サイトは、ＤＳＬルータおよび／またはケーブルモデム２６０１、２６０２〜２６０Ｎを含むことができる。図示のように、端末デバイス２２０とマクロモバイルオペレータコアネットワーク２５０との間に少なくとも２つの通信経路、すなわち、マクロセルアクセス２７０を含む経路と、インターネット２４０を含む経路とがある。
【００２１】
本明細書で説明する実施形態は３ＧＰＰ用語を使用しているが、実施形態は、３ＧＰＰ（Ｒｅｌ９９、Ｒｅｌ５、Ｒｅｌ６、Ｒｅｌ７など）技術だけでなく、３ＧＰＰ２（１ｘＲＴＴ、１ｘＥＶ−ＤＯ  Ｒｅｌ０、ＲｅｖＡ、ＲｅｖＢなど）技術、ならびに他の知られている関連する技術にも適用できることを理解されたい。本明細書で説明するそのような実施形態では、ＨＮＢ２１０の所有者は、マクロモバイルオペレータコアネットワーク２５０によって提供されるモバイルサービス、たとえば、３Ｇモバイルサービスなどに加入し、ＵＥ２２０は、マクロセルラ環境とＨＮＢベースの小さいカバレージネットワーク環境との両方において動作することが可能である。したがって、ＨＮＢ２１０は、既存のＵＥ２２０との旧版互換性に適合される。
【００２２】
ＵＥおよびＨＮＢまたはフェムトセルの問題の１つは、マクロセルラネットワーク２５０上で動作しているとき、フェムトセル２１０をどのように発見するかである。マクロセルラネットワーク上にあるとき、ＵＥ２２０は、フェムトセル２１０によって使用される周波数とは異なる周波数上で動作していることがある。ＵＥ２２０がマクロセルからのネイバーリスト（neighbor list）を評価する検索手順のうちでは、ＵＥ２２０はフェムトセル２１０を発見しないだろう。フェムトセルは、いくつかの利用可能な搬送周波数のうちの１つを使用することができる。ＵＥ２２０がちょうどその周波数上で動作していない場合、ＵＥ２２０はフェムトセル２１０のカバレージ内にあるが、ＵＥ２２０は、フェムトセル２１０を捕え損ない、マクロセル上で動作し続ける。さらに、フェムトセル２１０を発見する方法があるとしても、ＵＥ２２０はそれにアクセスすることを許可されない（アクセスが制限される）ことがある。新たなフェムトセルが絶えず稼動させられることにより、問題はさらに複雑化する。したがって、ＵＥが、アクセス許可を有するこれらの新たなフェムトセルのカバレージ内にあるときに、それらのフェムトセルを使用することができるように、ＵＥがこれらのフェムトセルをどのように認識するかを決定することは有利であろう。本発明の主要な利点は、バッテリパフォーマンスの改善、主として自律的な動作、ネットワークダウンロードを必要としない、ＵＥの自動プロビジョニング（provisioning）を含む。
【００２３】
以下で詳細に説明する実施形態によれば、ＵＥ２２０は、そのＵＥ２２０に対して個別設定されたＨＮＢまたはフェムトセル２１０のデータベースを（学習などによって）取得する。データベースは、ＵＥ２２０に記憶され、フェムトセル２１０ごとに以下の情報、すなわち、ＨＮＢの搬送周波数（Carrier frequency）と、位置（Location）（ＨＮＢの緯度／経度／高度（ＬＡＴ／ＬＯＮ／ＡＬＴ）、または他のもの）と、その近傍に所与のしきい値を上回る電力（たとえばチップエネルギー対総干渉比ＥＣ／Ｉ０として表されるパイロット電力）を有するＨＮＢの近傍におけるマクロセルＣＤＭＡパイロット（Pilots）と位相オフセットとのリスト（List）と、このＵＥ２２０によってフェムトアクセスが最後に使用／取得された日と、フェムトセルのシステムＩＤ（System ID）、フェムトセルのネットワークＩＤ（Network ID）、フェムトセルによって使用される無線技術（Radio Technology）など他の識別情報と、を含むことができる。
【００２４】
一実施形態では、データベースの各エントリは、（定性的（qualifying）最小ＥＣ／Ｉ０をもつ）そのフェムト位置において認識できるマクロパイロットと、各パイロットの位相遅延と、その公称位相遅延の周りの許容偏移とからなる非直交座標系におけるフェムトセル位置を定める。データベースがＵＥ２２０においてすでに利用可能なとき、それを使用してフェムト検索をゲート制御することができる。データベースの一致があるときのみ、ＦＦ以外の周波数上のＵＥ２２０はＦＦの検索を行う。一実施形態では、データベース要素は、ＵＥ２２０がアイドル状態中に監視しているどんな搬送波上でもすべてＵＥ２２０によって認識できる、マクロパイロットＰＮオフセットを含む。これらのＰＮオフセットは、アイドル状態中のルーチン動作のうちにＵＥがアクセス可能であり、ＵＥは、データベースの一致があるまで別のことをする必要はない。次いで、ＵＥ２２０は、異なる周波数上にあるＨＮＢまたはフェムトセル２１０を走査し始める。このように動作することで、バッテリの消耗を低減する。
【００２５】
図３は、フェムトセルの自律的なカスタマイズされた発見の改良を示し、各ＵＥに個々に記憶されるフェムトコンスタレーションデータベース（ＦＣＤ）のコンテンツを定義する。フェムトセルの位置は、パイロット（Pilots）が、しきい値ＥＣ／Ｉ０ベクトルＤを超え、許容差Ｑ内の位相Ｐを有する、基地局（ＢＳ）セットＣによって表されるエリア内では、マクロシステムパラメータからなるプリミティブ（primitives）によって表される。すべてのこれらのパラメータは、ＣＤＭＡ手順（アイドル状態またはアクティブ状態）をほとんどまたは全く変更せずに測定され、したがって、たとえばＡ−ＧＰＳ地理位置方法とは対照的に、バッテリ寿命および／またはネットワーク使用に関してほとんどコストがかからないだろう。
【００２６】
図４は、ＦＣＤを使用するフェムトセル検索を示す。ＦＣＤにおけるフェムトセルの位置は、非直交座標系で表され、高精度である必要がなく、フェムトセルの検索をゲート制御するために使用されるにすぎない。劣悪なジオメトリの場合（ＵＥが単一のＢＳによって支配される位置にあり、他が検出することが困難である場合）フェムトセルの位置を発見することは、ＨＲＰＤ無線技術のために定義された高度検出可能パイロット（Highly Detectable Pilots）を用いて改善できる。ブロック４０２は、ＵＥ２２０のＦＤＣにあるフェムトセル４１２に接近しているＵＥ２２０の軌道を示す。ブロック４１６は、そのＦＣＤエントリのないＵＥ２２１の軌道を示す。フェムトセル検索は、ブロック４０４において開始し（ＵＥ２２０がＦＤＣの表す外周に入る）、ブロック４０６において終了する（ＵＥがその外周を出る）。ブロック４０８はフェムトセルが発見されたことを示し、すなわちＵＥ２２０はフェムトセル４１２に十分に近く、それにより、フェムトセルを検索したとき、十分なＥＣ／Ｉ０のフェムトセルパイロットを検出する。ブロック４１０は、「固定の」ＵＥ２２２が探索的検索を行ったときに新たなフェムトセルを発見し、許可検査に応じてそれをＦＣＤに入れることを示す。ブロック４１２はフェムトセルを示す。ブロック４１４は、ＦＣＤがどのようにフェムト外周を表すかを示す。実線は、非フェムトＵＥの「軌道」とフェムトＵＥの「軌道」とを表す。点線は、ＵＥがＦＣＤで表される外周に入るが、関連するフェムトセルを検出することができるほど十分に近くには接近しない、ＵＥの代替軌道を表す。ＵＥ２２０は、そのＦＣＤ上にないフェムトセルを検出した場合、それを評価するために選択し、最終的にＦＣＤに入れることができる。一般に、フェムトは、ＵＥ２２０がそのフェムトに登録することができる場合、ＦＣＤ中にあることが適当である。フェムト上にあるとき、ハンドオフ（ＨＯ：Hand Off）が必要とされる場合、ＵＥは定期的にフェムトパイロットを監視し、信号強度を評価する。この監視は、ＦＣＤを更新する、たとえば、ブロック４１４に示したフェムト外周を調整するために使用されることができる。
【００２７】
フェムト位置は固定なので、フェムトセルは、マクロセルからのその位置の導出に関してＵＥよりもうまく実行することができる。したがって、フェムトセルは、近接マクロセルのパイロットを検索することに多くの時間を費やし、非常に弱いパイロットからのＣＤＭＡ信号でさえ統合することができる。ここではバッテリ制限は問題ではない。より高利得のアンテナ構成か使用され、マクロパイロット検出性をさらに改善する。フェムトは、マクロセルのみを含むことが知られているマクロ周波数に同調する。フェムトは、ＣＤＭＡシステムを検出し、それ自体を（ＥＣ／Ｉ０が所与のしきい値を上回る）最も強いパイロットと同期させる。フェムトは、極めて低いＥＣ／Ｉ０で検出することができる追加のパイロットを包括的に検索する。フェムトはまた、運用、管理、保守およびプロビジョニング（ＯＡＭ＆Ｐ：Operation, Administration, Maintenance and Provisioning）システムに、パイロットＰＮオフセットと相対的タイミングとを報告する。
【００２８】
ＯＡＭ＆Ｐシステムは、複数のマクロセルのＬＡＴ／ＬＯＮを知っており、フェムトセルの位置を決定するために、三角測量を実行する。ＯＡＭ＆Ｐシステムは、対象のフェムトセルにＬＡＴ／ＬＯＮ情報を送信する。代替手法は、アドレス（固定のブロードバンド接続の終点）からのＬＡＴ／ＬＯＮルックアップである。この手法は、整合性の検査として使用されることができ、より頑強な設計をもたらす。
【００２９】
一実施形態では、モバイルのデータベース中のフェムトセルの各々は、以下の情報を含む。すなわち、
ＦＥＭＴＯ＿ＯＲＤ：モバイルのデータベースエントリの場合の序数。最大エントリの唯一の実質上の制限はＭＳメモリである。一番初めのエントリは、そのモバイルのホームフェムトセルのために確保されることができる；  
ＦＥＭＴＯ＿ＢＡＮＤ＿ＣＬＡＳＳ：フェムトが展開される帯域クラス（Band Class）；  
ＦＥＭＴＯ＿ＣＨＡＮ：フェムトセルが展開されるチャネル番号；  
ＦＥＭＴＯ＿ＳＩＤ：フェムトセル（Femto Cell）のシステムＩＤ；  
ＦＥＭＴＯ＿ＮＩＤ：フェムトセル（Femto Cell）のネットワークＩＤ；  
ＦＥＭＴＯ＿ＴＹＰＥ：フェムトセルによって使用される無線技術（Radio Technology）；  
ＦＥＭＴＯ＿ＢＡＳＥ＿ＩＤ：フェムトセルシステムパラメータメッセージ（ＳＰＭ：System Parameters Message）中でブロードキャストされた基地局識別情報（ＢＡＳＥ＿ＩＤ：Base Station Identity）；  
ＦＥＭＴＯ＿ＬＡＴ：フェムトセルＳＰＭ中でブロードキャストされた基地局緯度（ＢＡＳＥ＿ＬＡＴ：Base Station Latitude）；  
ＦＥＭＴＯ＿ＬＯＮＧ：フェムトセルＳＰＭ中でブロードキャストされた基地局経度（ＢＡＳＥ＿ＬＯＮＧ：Base Station Longitude）；  
ＦＥＭＴＯ＿ＰＮ：このフェムトセルによって使用されるパイロットＰＮオフセット（Pilot PN Offset）；  
ＭＡＣＲＯ＿ＳＩＤ：フェムトの周りのマクロシステムのＳＩＤ；  
ＭＡＣＲＯ＿ＮＩＤ：フェムトの周りのマクロシステムのＮＩＤ；  
ＭＡＣＲＯ＿ＢＡＳＥ＿ＩＤ：「マザーセル」のＢＡＳＥ＿ＩＤ、ここで、
「マザーセル（Mother Cell）」は、フェムトセルのカバレージエリア内にあるときに、モバイルがアイドル状態中に接続されるマクロセルである；  
ＭＡＣＲＯ＿ＢＡＳＥ＿ＬＡＴ：「マザーセル」の緯度；  
ＭＡＣＲＯ＿ＢＡＳＥ＿ＬＯＮＧ：「マザーセル」の経度；  
ＭＡＣＲＯ＿ＰＮ＿ＶＥＣＴＯＲ：フェムトセルの近くのマクロパイロットの位相セット。ＦＣＤ中のこの位相セットを使用して、ＵＥ２２０は、より正確にターゲットフェムトへの近接度を測定することができ、検索を減らすことができる。  
アクセス時間、取得日／時間カウンタ。これは、モバイルがデータベースに割り当てられたメモリを使い果たしたとき、データベース中のエントリをランク付けし、めったに使用されない／最近使用されていないエントリを削除するために使用される。
【００３０】
図５は、フェムトセルの位置を特定するＵＥ２２０のための方法を示す。ステップ５０２において、マクロ周波数ＦＭ上のＵＥ２２０は、マクロＢＳページングチャネルを監視し、パラメータ、すなわちＳＩＤ（システムＩＤ）と、ＮＩＤ（ネットワークＩＤ（Network ID））と、ＢＡＳＥ＿ＩＤと、ＢＡＳＥ＿ＬＡＴと、ＢＡＳＥ＿ＬＯＮＧと、を知る。ステップ５０４において、ＵＥ２２０はフェムトデータベースの検索を開始する。ステップ５０６において、ＵＥ２２０は、システムＩＤがフェムトセルの周りのマクロシステムのシステムＩＤに一致し、ネットワークＩＤがフェムトセルの周りのマクロシステムのネットワークＩＤに一致し、基地ＩＤが「マザーセル」の基地ＩＤに一致し、基地緯度が「マザーセル」の緯度に一致し、基地経度が「マザーセル」の経度に一致する、一致、すなわちＳＩＤ＝ＭＡＣＲＯ＿ＳＩＤ；ＮＩＤ＝ＭＡＣＲＯ＿ＮＩＤ；ＢＡＳＥ＿ＩＤ＝ＭＡＣＲＯ＿ＢＡＳＥ＿ＩＤ；ＢＡＳＥ＿ＬＡＴ＝ＭＡＣＲＯ＿ＢＡＳＥ＿ＬＡＴ；ＢＡＳＥ＿ＬＯＮＧ＝ＭＡＣＲＯ＿ＢＡＳＥ＿ＬＯＮＧを求めてデータベースを検索する。ステップ５０８において一致が発見された場合、ステップ５１０において、ＵＥ２２０は、フェムトセルが展開される帯域クラス（Band Class）およびチャネル番号（Channel Number）である周波数ＦＦ＝（ＦＥＭＴＯ＿ＢＡＮＤ＿ＣＬＡＳＳ，ＦＥＭＴＯ＿ＣＨＡＮ）に同調する。次に、ステップ５１２において、ＵＥ２２０は、ＣＤＭＡ信号のサンプルセグメントを取り出し、ＦＥＭＴＯ＿ＰＮ（このフェムトセルによって使用されるパイロットＰＮオフセット（Pilot PN Offset））のパイロット検索を行う。しかしながら、一致が発見されないと、ＵＥ２２０はＦＭ（マクロセル周波数）に戻る。
【００３１】
一実施形態では、ＷＣＤＭＡ（登録商標）パイロットは、「ゴールドコード（Gold Codes）」と呼ばれる、基地局（ＮｏｄｅＢ）を一意に識別する同期コードを使用する。ＷＤＣＭＡ技術では、移動局は、フェムトセル使用のために確保されたゴールドコード（Gold Codes）を使用してすべてのパイロットの検索を行うことによって、フェムトセルの位置を特定する。
【００３２】
さらに、十分なＥＣ／Ｉ０のＦＥＭＴＯ＿ＰＮがステップ５１４において発見されなかった場合、ＵＥ２２０はＦＭに戻る。ただし、十分なＥＣ／Ｉ０のパイロットがステップ５１４において発見された場合、ステップ５１６において、ＵＥ２２０はフェムトセルへのアイドルハンドオフ（ＨＯ：Handoff）を実行する。
【００３３】
ステップ５１８において、ＵＥ２２０は、フェムトセルページングチャネルを復調し、フェムトセルのシステムパラメータメッセージ（ＳＰＭ：System Parameters Message）を入手する。ＵＥ２２０は、パラメータＳＩＤ、ＮＩＤ、ＢＡＳＥ＿ＩＤなどがＵＥのＦＣＤに記憶されたＦＥＭＴＯ＿ＳＩＤ（フェムトセル（Femto Cell）のシステムＩＤ（System ID））、ＦＥＭＴＯ＿ＮＩＤ（フェムトセル（Femto Cell）のネットワークＩＤ（Network ID））、ＦＥＭＴＯ＿ＢＡＳＥ＿ＩＤなどに一致することを確認する。一致が確認できなかった（すなわち、ＵＥが、意図していたフェムトとは異なるフェムトに遭遇した）場合、ＵＥ２２０は、それにアクセスすることを許されるかどうかを判断するために、この新たなフェムトセルへの登録を試みることができ、許された場合、新たなエントリとしてデータベースに入れることができる。
【００３４】
ステップ５２０において、ＳＩＤ、ＮＩＤペアは、以前に登録されたペア（マクロＳＩＤ、ＮＩＤペア）と同じではないので、ＵＥ２２０はフェムトセルに登録させられる。
【００３５】
以下の実施形態は、データベース自体をどのように実装するかについて説明する。一実施形態では、フェムトセルの探索的検索が行われる。探索的検索の目的は、ＵＥ２２０に関連する新たなフェムトセルを発見し、その内部データベースを補充することである。探索的検索を連続的に行うこと、すなわち、フェムトセルが展開される搬送周波数に再同調し、フェムトセルのために確保されたオフセットでパイロットを走査することは、ＵＥにとってあまり有益ではない。バッテリは加速度的に消耗されることになる。ＵＥ２２０が車両速度で移動している場合、使用を許可されているフェムトセル２１０を発見したとしても、ＵＥ２２０がそのカバレージ内にいるのは非常に短い時間期間の間であるので、フェムトセル２１０に登録することはＵＥ２２０にとって有益にならない。固定であるか（固定の場所の周囲、たとえば居住地内の少しの動きを伴う）固定状態に近いときのみ、ＵＥ２２０がＨＮＢまたはフェムトセル２１０の潜在的な存在を探査することは有益であるだろう。一実施形態では、ＵＥ２２０モバイルは、そのモビリティ状態を評価するために、マクロセルのパイロット位相偏移を使用することができる。ここでも、ＵＥ２２０は、単にそのルーチン動作をし、そのネイバーリスト中でパイロットを検索する。パイロット位相に関するこの未加工情報は、そのモビリティ状態を決定するためにモバイルによって使用されることができる。ある時間期間にわたる総パイロット位相偏差を推定することによってモビリティの程度（Degree）が評価されることができる。
【００３６】
図６は、探索的検索の一実施形態を示す。ステップ６０２において、ＵＥ２２０は、そのモビリティ状態を評価する。ステップ６０４において、ＵＥ２２０は、低モビリティ状態であると決定する。ステップ６０６において、ＵＥは、フェムトセルが展開される周波数に同調し、信号サンプルを取り出し、フェムトセル使用に確保されたすべてのパイロットＰＮ（Pilot PN）オフセットの検索を行う。ステップ６０８において、フェムトセル２１０を発見した場合、ステップ６１０において、そのフェムトセルを使用することが許可されているかどうかを判断することを試みる。一般に、ステップ６１２に示すように、フェムトセルを使用することが許可されている場合、ＵＥ２２０はフェムトセルに登録することが許される。ＵＥ２２０がフェムトセルに登録することが許されない場合、ＵＥ２２０はマクロシステムの監視に戻る。
【００３７】
探索的検索中、バッテリ消耗は、回避できない通常のアイドルモード検索に比較して少ない。探索的検索は、フェムトセル使用に確保されたすべてのパイロットＰＮオフセット（Pilot PN Offsets）に対して行われる。ＵＥ２２０がそれ自体の位置を一般に知らないので、検索ウィンドウは、狭くすることができず、そのシステムの時間感覚をフェムトセルのシステムの時間感覚からずらす伝搬遅延を推定することができない。これらのファクタは、検索作業がアイドルモード検索に対して増加することを意味するが、数秒ごとに１回起こるアイドルモードとは異なり、探索的検索はめったに行われず、たとえば３０分ごとに１回行われ、したがってバッテリの影響は低い。
【００３８】
たとえば、
パイロット周期（Pilot Period）Ｔ＝２１５＝３２，７６８チップ（２６．６６７ｍｓ）；  
チップ周期（Chip Period）Ｔ０＝１／１．２２８８ｍｓ＝０．８１４ｍｓ；  
Ｄ＝ネイバーセル距離（Neighbor Cell Distance）：１０ｋｍ；  
ＰＩＬＯＴ＿ＩＮＣ＝３，マクロマクロＰＮオフセット距離（Macro-Macro PN Offset Distance）＝５１２チップ；マクロフェムト（Macro-Femto）＝２５６チップ；  
検索ウィンドウ（Search Window）：Ｄ／（Ｃ＊Ｔ０）＝４１チップ；  
最小マクロマクロ（Macro-Macro）位相シフトのパーセンテージとしてのウィンドウ：４１／５１２＝８％；  
マクロフェムト（Macro-femto）位相シフトのパーセンテージとしてのウィンドウ：４１／２５６＝１６％；  
対象とされる検索のために取り出されたサンプルは、探索的検索の目的で再利用されることができる。ＵＥ２２０は、そのフェムトデータベース中で識別されたエリア以外のエリア中で位置を特定された場合、探索的検索のための追加の信号サンプルを取り出さなければならない。ＵＥ２２０はページを逃すことなく周波数外検索（探索的を含む）をすることができ、およびしなければならず、すなわち、探索的検索はページウェイクサイクル外でなければならない。信号サンプリングはＦＦで行われ、検索動作は、ＵＥ２２０がＦＭに戻ったときに実施されることができ、必要ならば、ＵＥ２２０がマクロシステムを監視し続ける間、いくつかのウェイクサイクル（wake cycles）に分散されることができる。
【００３９】
バッテリ寿命への探索的検索の影響を推定する目的で、以下を仮定する：  
マクロネイバー数＝１５；  
明示的にリストされたフェムトネイバーＰＮ数＝５；  
フェムトネイバーリスト内のネイバー数＝２；  
マクロ検索ウィンドウ＝５０チップ；  
対象とされるフェムト検索のためのウィンドウ＝１３チップ（１０ｍｓＭＰＳタイミングエラー）；  
モバイルがフェムト上にある時間の割合：５０％；  
モバイルがマザーセル上にある時間の割合＝５％；  
スロットサイクル時間（Slot Cycle Time）２．５６ｓ；  
探索的検索周期（Exploratory Search Period）＝３０分；  
フェムトＰＮコンスタレーションのサイズ＝６４。
【００４０】
結果は図７に要約される。
【００４１】
図７は、フェムト展開より前（全てマクロセル）は、検索作業は、１日当たりの総相関計算が１億１００万回で、検索１００％に等しいことを示す。フェムトが展開されるにつれて（ベースラインとしてマクロのみの検索を使用する）検索作業は減り、レガシーモバイルでは、１日当たりの総相関計算が７４００万回で、７３％に下がり、フェムト対応モバイルでは、１日当たりの総相関計算が５８００万回で、５７％に下がっている。
【００４２】
探索的検索は、フェムト対応モバイルの全体的な検索作業への影響は非常に小さい（例では０．５％のみ増す）。
【００４３】
マクロシステム上でアイドル状態の間、ＦＣＤ中にない新たなフェムトを発見する可能性を最大にし、フェムトとマクロネットワークの両方のネットワーク構成変更（たとえば、開始される新たなマクロセル）に対処する目的で、ＵＥは、（ＦＦに同調させなければならない）フェムトパイロット位相空間の探索的走査を実行する。
【００４４】
上述のように、探索的走査は、原則としてアイドル状態（Idle State）中いつでも行うことができるが、低モビリティ状態において最も有用である。ある時間期間にわたる総パイロット位相偏差を推定することによってモビリティの程度が評価されることができる。
【００４５】
本明細書の教示は、様々なタイプの通信デバイスに実装できる場合があることを諒解されたい。いくつかの態様では、本明細書の教示は、複数のワイヤレスアクセス端末のための通信を同時にサポートすることができる多元接続通信システムにおいて展開できるワイヤレスデバイスにおいて実装できる。ここで、各端末は、順方向リンクおよび逆方向リンク上の送信を介して１つまたは複数のアクセスポイントと通信することができる。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、１入力１出力システム、多入力多出力（ＭＩＭＯ）システム、または何らかの他のタイプのシステムを介して確立されることができる。
【００４６】
ＭＩＭＯシステムは、データ送信用の複数（ＮＴ）個の送信アンテナおよび複数（ＮＲ）個の受信アンテナを使用する。ＮＴ個の送信アンテナとＮＲ個の受信アンテナとによって形成されるＭＩＭＯチャネルは、空間チャネルと呼ばれる、ＮＳ個の独立チャネルに分解されることができ、ここで、ＮＳ≦ｍｉｎ｛ＮＴ，ＮＲ｝である。ＮＳ個の独立チャネルの各々は、１つの次元に対応する。複数の送信アンテナおよび受信アンテナによって生成された追加の次元数が利用された場合、ＭＩＭＯシステムは、改善されたパフォーマンス（たとえば、より高いスループットおよび／またはより大きい信頼性）を与えることができる。
【００４７】
ＭＩＭＯシステムは、時分割複信（「ＴＤＤ」）および周波数分割複信（「ＦＤＤ」）をサポートすることができる。ＴＤＤシステムでは、順方向および逆方向リンク伝送が同一周波数領域上で行われるので、相反定理は逆方向リンクチャネルからの順方向リンクチャネルの推定を許す。これは、複数のアンテナがアクセスポイントで利用可能なとき、アクセスポイントに、順方向リンク上で送信ビームフォーミング利得を抽出することを許す。
【００４８】
本明細書の教示は、少なくとも１つの他のノードと通信するために様々なコンポーネントを採用しているノード（たとえば、デバイス）中に組み込まれることができる。図７Ｂは、ノード間の通信を可能にするために使用されるいくつかの例示的なコンポーネントを示す。具体的に言うと、図７Ｂは、ＭＩＭＯシステム７００のワイヤレスデバイス７１０（たとえば、アクセスポイント）とワイヤレスデバイス７５０（たとえば、アクセス端末）とを示す。デバイス７１０では、いくつかのデータストリームのトラフィックデータが、データソース７１２から送信（「ＴＸ」）データプロセッサ７１４に与えられる。
【００４９】
いくつかの態様では、各データストリームは、それぞれの送信アンテナを介して送信される。ＴＸデータプロセッサ７１４は、符号化データを供給するために、そのデータストリーム用に選択された特定の符号化方式に基づいて、データストリームごとにトラフィックデータをフォーマット化し、符号化し、インタリーブする。
【００５０】
各データストリームの符号化データは、ＯＦＤＭ技法を使用してパイロットデータで多重化されることができる。パイロットデータは、典型的には、知られている方法で処理され、チャネル応答を推定するために受信機システムにおいて使用され得る、既知のデータパターンである。次いで、各データストリームの多重化されたパイロットデータおよび符号化データは、変調シンボルを供給するために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータ転送速度、符号化、および変調は、プロセッサ７３０によって実行される命令によって決定されることができる。データメモリ７３２は、プロセッサ７３０またはデバイス７１０の他のコンポーネントによって使用されるプログラムコード、データおよび他の情報を記憶することができる。
【００５１】
次いで、すべてのデータストリームの変調シンボルは、（たとえば、ＯＦＤＭの場合）さらにその変調シンボルを処理することができるＴＸ  ＭＩＭＯプロセッサ７２０に供給される。次いで、ＴＸ  ＭＩＭＯプロセッサ７２０は、ＮＴ個の変調シンボルストリームをＮＴ個のトランシーバ（「ＸＣＶＲ」）７２２Ａ〜７２２Ｔに供給する。いくつかの態様では、ＴＸ  ＭＩＭＯプロセッサ７２０は、データストリームのシンボルと、シンボルが送信されているアンテナとにビームフォーミング重みを付加する。
【００５２】
各トランシーバ７２２は、１つまたは複数のアナログ信号を生成するために、それぞれのシンボルストリームを受信して処理し、さらに、ＭＩＭＯチャネルを介して送信するのに適した変調信号を与えるために、それらのアナログ信号を調整（たとえば、増幅、フィルタリング、およびアップコンバート）する。次いで、トランシーバ７２２Ａ〜７２２ＴからのＮＴ個の変調信号は、それぞれ、ＮＴ個のアンテナ７２４Ａ〜７２４Ｔから送信される。
【００５３】
デバイス７５０では、送信された変調信号はＮＲ個のアンテナ７５２Ａ〜７５２Ｒによって受信され、各アンテナ７５２からの受信信号は、それぞれのトランシーバ（「ＸＣＶＲ」）７５４Ａ〜７５４Ｒに供給される。各トランシーバ７５４は、サンプルを提供するために、それぞれの受信信号を調整（たとえば、フィルタリング、増幅、およびダウンコンバート）し、調整された信号をデジタル化し、対応する「受信」シンボルストリームを供給するために、さらにそれらのサンプルを処理する。
【００５４】
次いで、受信（「ＲＸ」）データプロセッサ７６０は、ＮＴ個の「検出」シンボルストリームを提供するために、特定の受信機処理技法に基づいてＮＲ個のトランシーバ７５４からＮＲ個の受信シンボルストリームを受信して処理する。次いで、ＲＸデータプロセッサ７６０は、データストリームに対するトラフィックデータを回復するために、各検出シンボルストリームを復調し、ディインタリーブし、復号する。ＲＸデータプロセッサ７６０による処理は、デバイス７１０におけるＴＸ  ＭＩＭＯプロセッサ７２０およびＴＸデータプロセッサ７１４によって実行される処理と相補的なものである。
【００５５】
プロセッサ７７０は、どのプリコーディング行列（以下で論じる）を使用すべきかを定期的に判断する。プロセッサ７７０は、行列インデックス部とランク値部とを備える逆方向リンクメッセージを作成する。データメモリ７７２は、プロセッサ７７０またはデバイス７５０の他のコンポーネントによって使用されるプログラムコード、データおよび他の情報を記憶することができる。
【００５６】
逆方向リンクメッセージは、通信リンクおよび／または受信データストリームに関する様々なタイプの情報を備えることができる。次いで、逆方向リンクメッセージは、データソース７３６からいくつかのデータストリームのトラフィックデータをも受信するＴＸデータプロセッサ７３８によって処理され、変調器７８０によって変調され、トランシーバ７５４Ａ〜７５４Ｒによって調整され、デバイス７１０に戻される。
【００５７】
デバイス７１０において、デバイス７５０からの変調信号は、デバイス７５０によって送信された逆方向リンクメッセージを抽出するために、アンテナ７２４によって受信され、トランシーバ７２２によって調整され、復調器（「ＤＥＭＯＤ」）７４０によって復調され、ＲＸデータプロセッサ７４２によって処理される。次いで、プロセッサ７３０は、ビームフォーミング重みを決定するためにどのプリコーディング行列を使用すべきかを判断し、次いで、抽出されたメッセージを処理する。
【００５８】
本明細書の教示は、様々なタイプの通信システムおよび／またはシステムコンポーネントに組み込まれることができる。いくつかの態様では、本明細書の教示は、利用可能なシステムリソースを共有することによって（たとえば、帯域幅、送信電力、符号化、インタリーブなどのうちの１つまたは複数を指定することによって）、複数のユーザとの通信をサポートすることが可能な多元接続システムで使用されることができる。たとえば、本明細書の教示は、符号分割多元接続（Code Division Multiple Access）（「ＣＤＭＡ」）システム、多重キャリアＣＤＭＡ（Multiple-Carrier CDMA）（「ＭＣＣＤＭＡ」）、広帯域ＣＤＭＡ（Wideband CDMA）（「Ｗ−ＣＤＭＡ」）、高速パケットアクセス（High-Speed Packet Access）（「ＨＳＰＡ」、「ＨＳＰＡ＋」）システム、時分割多元接続（Time Division Multiple Access）（「ＴＤＭＡ」）システム、周波数分割多元接続（Frequency Division Multiple Access）（「ＦＤＭＡ」）システム、単一搬送波ＦＤＭＡ（Single-Carrier FDMA）（「ＳＣ−ＦＤＭＡ」）システム、直交周波数分割多元接続（Orthogonal Frequency Division Multiple Access）（「ＯＦＤＭＡ」）システム、または他の多元接続技法の技術のいずれか１つまたは組合せに適用されることができる。本明細書の教示を使用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計されることができる。ＣＤＭＡネットワークは、汎用地上波無線アクセス（Universal Terrestrial Radio Access）（「ＵＴＲＡ」）、ｃｄｍａ２０００、または何らかの他の技術などの無線技術を実装することができる。ＵＴＲＡは、Ｗ−ＣＤＭＡおよび低チップレート（Low Chip Rate）（「ＬＣＲ」）を含む。ｃｄｍａ２０００技術は、ＩＳ−２０００、ＩＳ−９５、およびＩＳ−８５６規格をカバーする。ＴＤＭＡネットワークは、広域移動体通信システム（Global System for Mobile Communications）（「ＧＳＭ」）などの無線技術を実装することができる。ＯＦＤＭＡネットワークは、進化型ＵＴＲＡ（Evolved UTRA）（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）、などの無線技術を実装することができる。ＵＴＲＡ、Ｅ−ＵＴＲＡ、およびＧＳＭは、ユニバーサル移動体通信システム（Universal Mobile Telecommunication System）（「ＵＭＴＳ」）の一部である。本明細書の教示は、３ＧＰＰロングタームエボリューション（3GPP Long Term Evolution）（「ＬＴＥ」）システム、ウルトラモバイルブロードバンド（Ultra-Mobile Broadband）（「ＵＭＢ」）システム、および他のタイプのシステム、で実装されることができる。ＬＴＥは、Ｅ−ＵＴＲＡを使用するＵＭＴＳのリリースである。本開示のいくつかの態様は３ＧＰＰ用語を使用して説明されることができるが、本明細書の教示は、３ＧＰＰ（Ｒｅｌ９９、Ｒｅｌ５、Ｒｅｌ６、Ｒｅｌ７）技術、ならびに３ＧＰＰ２（ＩｘＲＴＴ、１ｘＥＶ−ＤＯ  Ｒｅｌ０、ＲｅｖＡ、ＲｅｖＢ）技術および他の技術に適用できることを理解されたい。
【００５９】
本明細書の教示は、様々な装置（たとえば、ノード）に組み込まれる（たとえば、装置内に実装される、または装置によって実行される）ことができる。いくつかの態様では、本明細書の教示に従って実装されるノード（たとえば、ワイヤレスノード）は、アクセスポイントまたはアクセス端末を備えることができる。
【００６０】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の専門用語を備える、いずれかとして実装される、またはいずれかとして知られることができる。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラー電話またはスマートフォン）、コンピュータ（たとえば、ラップトップ）、携帯型通信デバイス、携帯型コンピューティングデバイス（たとえば、個人情報端末）、娯楽デバイス（たとえば、音楽デバイスまたはビデオデバイス、あるいは衛星ラジオ）、全地球測位システムデバイス、あるいはワイヤレス媒体を介して通信するように構成される他の好適デバイスに組み込まれることができる。
【００６１】
アクセスポイントは、ＮｏｄｅＢ、ｅＮｏｄｅＢ、無線ネットワーク制御装置（「ＲＮＣ」）、基地局（「ＢＳ」）、無線基地局（「ＲＢＳ」）、基地局制御装置（「ＢＳＣ」）、送受信基地局（「ＢＴＳ」）、トランシーバ機能（「ＴＦ」）、無線トランシーバ、無線ルータ、基本サービスセット（「ＢＳＳ」）、拡張サービスセット（「ＥＳＳ」）、または何らかの他の同様の専門用語を備える、いずれかとして実装される、またはいずれかとして知られることができる。
【００６２】
いくつかの態様では、ノード（たとえば、アクセスポイント）は、通信システムのためのアクセスノードを備えることができる。そのようなアクセスノードは、たとえば、ネットワークへの有線またはワイヤレス通信リンクを介した、ネットワーク（たとえば、インターネットまたはセルラーネットワークなどワイドエリアネットワーク）のための、またはネットワークへの接続性を与えることができる。したがって、アクセスノードは、別のノード（たとえば、アクセス端末）がネットワークまたは何らかの他の機能にアクセスできるようにすることができる。さらに、一方または両方のノードはポータブルでも、場合によっては比較的非ポータブルでもよいことを諒解されたい。
【００６３】
また、ワイヤレスノードは、有線の方式で（たとえば、有線接続を介して）情報を送信および／または受信することができることを諒解されたい。したがって、本明細書で論じる受信機および送信機は、非ワイヤレス媒体を介して通信するために適切な通信インターフェースコンポーネント（たとえば、電子的または光学的インターフェースコンポーネント）を含むことができる。
【００６４】
ワイヤレスノードは、好適なワイヤレス通信技術に基づくあるいはサポートする１つまたは複数のワイヤレス通信リンクを介して通信することができる。たとえば、いくつかの態様では、ワイヤレスノードは、ネットワークに関連付けることができる。いくつかの態様では、ネットワークは、ローカルエリアネットワークまたはワイドエリアネットワークを備えることができる。ワイヤレスデバイスは、本明細書で説明するような様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができる。同様に、ワイヤレスノードは、様々な対応する変調方式または多重化方式のうちの１つまたは複数をサポートまたは使用することができる。したがって、ワイヤレスノードは、上記または他のワイヤレス通信技術を使用して１つまたは複数のワイヤレス通信リンクを確立し、それを介して通信するために適切なコンポーネント（たとえば、エアインターフェース）を含むことができる。たとえば、ワイヤレスノードは、ワイヤレス媒体上の通信を可能にする様々なコンポーネント（たとえば、信号発生器および信号処理器）を含むことができる関連する送信機コンポーネントおよび受信機コンポーネントをもつワイヤレストランシーバを備えることができる。
【００６５】
図８は、本明細書で説明する追加の態様によるシステム８００の例示的なブロック図を示す。システム８００は、フェムトセルの位置特定を可能にすることができる装置を与える。具体的に言うと、システム８００は、それぞれ通信リンク８０５に接続された複数のモジュールまたは手段を含むことができ、通信リンク８０５を介して他のモジュールまたは手段と通信することができる。
【００６６】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表されることができる。
【００６７】
さらに、本明細書で開示される実施形態に関して説明した様々な例示的な論理ブロック、モジュール、回路、およびアルゴリズムステップを、電子ハードウェア、コンピュータソフトウェア、またはこの両方の組合せとして実装できることを当業者なら諒解されよう。ハードウェアとソフトウェアのこの互換性を明確に示すために、様々な例示的なコンポーネント、ブロック、モジュール、回路、およびステップを、上記では概して、それらの機能に関して説明した。そのような機能をハードウェアで実装するかソフトウェアで実装するかは、特定の適用例および全体的なシステムに課された設計制約に依存する。当業者は、説明した機能を特定の適用例ごとに様々な方法で実装することができるが、そのような実装の決定は、本発明の範囲からの逸脱を生じるものと解釈すべきではない。
【００６８】
本明細書で開示した実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書で説明した機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装できる。
【００６９】
本明細書で開示された実施形態に関して説明した方法またはアルゴリズムのステップは、直接ハードウェアで、プロセッサによって実行されるソフトウェアモジュールで、またはこれら２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または当技術分野で知られている他の形態の記憶媒体に存在してよい。例示的な記憶媒体は、プロセッサが記憶媒体から情報を読むことができ、記憶媒体に情報を書き込むことができるようにプロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別コンポーネントとして常駐することもできる。
【００７０】
開示した実施形態の前述の説明は、当業者が本発明を実施または使用できるようにするために提供されるものである。これらの実施形態に対する様々な変更は、当業者には容易に明らかとなり、本明細書で定義された一般的な原理は、本発明の精神または範囲から逸脱することなく他の実施形態に適用できる。したがって、本発明は、本明細書に示す実施形態に限定されるものではなく、本明細書で開示する原理および新規の特徴と一致する最も広い範囲を与えられるべきある。
【図１】
2014030195.tif 000003
【図２】
2014030195.tif 000004
【図３】
2014030195.tif 000005
【図４】
2014030195.tif 000006
【図５】
2014030195.tif 000007
【図６】
2014030195.tif 000008
【図７Ａ】
2014030195.tif 000009
【図７Ｂ】
2014030195.tif 000010
【図８】
2014030195.tif 000011
【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
フェムトセルの位置を特定するユーザ機器（ＵＥ）のための方法であって、
少なくとも１つのフェムトセルの位置を特定する情報をデータベースに記憶することと、
少なくとも１つのマクロセルから、位置情報を受信することと、
前記ＵＥが少なくとも１つのフェムトセルの略近傍にあるかどうかを判断するために前記データベース内を検索することと、
前記ＵＥが少なくとも１つのフェムトセルの略近傍にある場合、前記フェムトセルに対応する前記データベース情報を使用して前記フェムトセルにアクセスすることと、
を備える方法。
【請求項２】
システム識別（ＩＤ）データベースエントリが前記フェムトセルの周りのマクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致するとき、一致があると判断する、一致を求めて前記データベースを検索することと、
一致がある場合、前記ＵＥをフェムトセル周波数ＦＦに同調させることと、
符号分割多重接続（ＣＤＭＡ）信号のサンプルセグメントを取り出すことと、
パイロット疑似雑音（ＰＮ）オフセット（Offset）のパイロット検索を行うことと、
一致がない場合、前記ＵＥをマクロセル周波数ＦＭに同調させることと、
をさらに備える、請求項１に記載の方法。
【請求項３】
十分なチップエネルギー対総干渉比（ＥＣ／Ｉ０）をもつ前記パイロットＰＮオフセットを求めて前記データベースを検索することと、
十分なＥＣ／Ｉ０の前記パイロットＰＮオフセットが発見された場合、前記ＵＥによって前記フェムトセルのアイドルハンドオフ（ＨＯ：Handoff）を実行することと、
十分なＥＣ／Ｉ０のパイロットＰＮオフセットが発見されなかった場合、前記ＵＥを前記マクロセル周波数ＦＭに同調させることと、
をさらに備える、請求項２に記載の方法。
【請求項４】
前記ＵＥによってフェムトセルページングチャネルを復調することと、
フェムトセルシステムパラメータメッセージ（ＳＰＭ：System Parameters Message）を受信することと、
前記ＵＥを前記フェムトセルに登録することと、
をさらに備える、請求項３に記載の方法。
【請求項５】
前記ＵＥによって、パラメータ、システムＩＤと，ネットワークＩＤと，基地ＩＤとを確認することと、
前記フェムトセルＳＰＭ中でブロードキャストされた、前記フェムトセルのシステムＩＤと、前記フェムトセルの前記ネットワークＩＤと、基地ＩＤと一致させることと、
一致が確認できなかった場合、前記フェムトセルにアクセスすることを許されるかどうかを判断するために前記フェムトセルへの登録を試みることと、
をさらに備える、請求項４に記載の方法。
【請求項６】
少なくとも１つのプロセッサと、前記少なくとも１つのプロセッサに結合されたメモリと、を備えるユーザ機器（ＵＥ）であって、
前記少なくとも１つのプロセッサは、
少なくとも１つのフェムトセルの位置を特定する情報をデータベースに記憶し、
少なくとも１つのマクロセルから、位置情報を受信し、
前記ＵＥが少なくとも１つのフェムトセルの略近傍にあるかどうかを判断するために、前記データベース内を検索し、
前記ＵＥが少なくとも１つのフェムトセルの略近傍にある場合、前記フェムトセルに対応する前記データベース情報を使用して前記フェムトセルにアクセスする、
ように構成される、ユーザ機器（ＵＥ）。
【請求項７】
前記プロセッサはさらに、
システム識別（ＩＤ）データベースエントリが前記フェムトセルの周りのマクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致するとき、一致があると判断する、一致を求めて前記データベースを検索し、
一致がある場合、前記ＵＥをフェムトセル周波数ＦＦに同調させ、
符号分割多重接続（ＣＤＭＡ）信号のサンプルセグメントを取り出し、
パイロット疑似雑音（ＰＮ）オフセット（Offset）のパイロット検索を行い、
一致がない場合、前記ＵＥをマクロセル周波数ＦＭに同調させる、
ように構成される、請求項６に記載のユーザ機器。
【請求項８】
前記プロセッサはさらに、
十分なチップエネルギー対総干渉比（ＥＣ／Ｉ０）をもつ前記パイロットＰＮオフセットを求めて前記データベースを検索し、
十分なＥＣ／Ｉ０の前記パイロットＰＮオフセットが発見された場合、前記ＵＥによって前記フェムトセルのアイドルハンドオフ（ＨＯ：Handoff）を実行し、
十分なＥＣ／Ｉ０のパイロットＰＮオフセットが発見されなかった場合、前記ＵＥを前記マクロセル周波数ＦＭに同調させる、
ように構成される、請求項７に記載のユーザ機器。
【請求項９】
前記プロセッサはさらに、
前記ＵＥによってフェムトセルページングチャネルを復調し、
フェムトセルシステムパラメータメッセージ（ＳＰＭ：System Parameters Message）を受信し、
前記ＵＥを前記フェムトセルに登録する、
ように構成される、請求項８に記載のユーザ機器。
【請求項１０】
前記プロセッサはさらに、
前記ＵＥによって、パラメータ、システムＩＤと，ネットワークＩＤと，基地ＩＤとを確認し、
前記フェムトセルＳＰＭ中でブロードキャストされた、前記フェムトセルのシステムＩＤと、前記フェムトセルの前記ネットワークＩＤと、基地ＩＤと一致させ、
一致が確認できなかった場合、前記フェムトセルにアクセスすることを許されるかどうかを判断するために前記フェムトセルへの登録を試みる、
ように構成される、請求項８に記載のユーザ機器。
【請求項１１】
コンピュータに、
少なくとも１つのフェムトセルの位置を特定する情報をデータベースに記憶させ、
少なくとも１つのマクロセルから位置情報を受信させ、
ユーザ機器（ＵＥ）が少なくとも１つのフェムトセルの略近傍にあるかどうかを判断するために前記データベース内を検索させ、
前記ＵＥが少なくとも１つのフェムトセルの略近傍にある場合、前記フェムトセルに対応する前記データベース情報を使用して前記フェムトセルにアクセスさせる、
ためのコードを備えるプログラムを記録したコンピュータ可読媒体。
【請求項１２】
前記プログラムは、前記コンピュータに、
システム識別（ＩＤ）データベースエントリが前記フェムトセルの周りのマクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、基地経度が前記マクロセルの前記経度に一致するとき、一致があると判断する、一致を求めて前記データベースを検索させ、
一致がある場合、前記ＵＥをフェムトセル周波数ＦＦに同調させ、
符号分割多重接続（ＣＤＭＡ信号）のサンプルセグメントを取り出させ、
パイロット疑似雑音（ＰＮ）オフセットのパイロット検索を行わせ、
一致がない場合、前記ＵＥをマクロセル周波数ＦＭに同調させる、
ためのコードをさらに備える、請求項１１に記載のコンピュータ可読記録媒体。
【請求項１３】
前記プログラムは、前記コンピュータに、
十分なチップエネルギー対総干渉比（ＥＣ／Ｉ０）をもつ前記パイロットＰＮオフセットを求めて前記データベースを検索させ、
十分なＥＣ／Ｉ０の前記パイロットＰＮオフセットが発見された場合、前記ＵＥによって前記フェムトセルのアイドルハンドオフ（ＨＯ）を実行させ、
十分なＥＣ／Ｉ０のパイロットＰＮオフセットが発見されなかった場合、前記ＵＥを前記マクロセル周波数ＦＭに同調させる、
ためのコードをさらに備える、請求項１１に記載のコンピュータ可読記録媒体。
【請求項１４】
前記プログラムは、前記コンピュータに、
前記ＵＥによってフェムトセルページングチャネルを復調させ、
フェムトセルシステムパラメータメッセージ（ＳＰＭ）を受信させ、
前記ＵＥを前記フェムトセルに登録させる、
ためのコードをさらに備える、請求項１１に記載のコンピュータ可読記録媒体。
【請求項１５】
前記プログラムは、前記コンピュータに、
前記ＵＥによって、パラメータ、システムＩＤと，ネットワークＩＤと，基地ＩＤとを確認させ、
前記フェムトセルＳＰＭ中でブロードキャストされた、前記フェムトセルのシステムＩＤと、前記フェムトセルの前記ネットワークＩＤと、基地ＩＤと一致させ、
一致が確認できなかった場合、前記フェムトセルにアクセスすることを許されるかどうかを判断するために前記フェムトセルへの登録を試みさせる、
ためのコードをさらに備える、請求項１４に記載のコンピュータ可読記録媒体。
【請求項１６】
少なくとも１つのフェムトセルの位置を特定する情報をデータベースに記憶するための手段と、
少なくとも１つのマクロセルから位置情報を受信するための手段と、
ユーザ機器（ＵＥ）が少なくとも１つのフェムトセルの略近傍にあるかどうかを判断するために前記データベース内を検索するための手段と、
前記ＵＥが少なくとも１つのフェムトセルの略近傍にある場合、前記フェムトセルに対応する前記データベース情報を使用して前記フェムトセルにアクセスするための手段と、
を備える、フェムトセルの位置を特定する装置。
【請求項１７】
システム識別（ＩＤ）データベースエントリが前記フェムトセルの周りのマクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致するとき、一致があると判断する、一致を求めて前記データベースを検索するための手段と、
一致がある場合、前記ＵＥをフェムトセル周波数ＦＦに同調させるための手段と、
符号分割多重接続（ＣＤＭＡ）信号のサンプルセグメントを取り出すための手段と、
パイロット疑似雑音（ＰＮ）オフセットのパイロット検索を行うための手段と、
一致がない場合、前記ＵＥをマクロセル周波数ＦＭに同調させるための手段と、
をさらに備える、請求項１６に記載の装置。
【請求項１８】
十分なチップエネルギー対総干渉比（ＥＣ／Ｉ０）をもつ前記パイロットＰＮオフセットを求めて前記データベースを検索するための手段と、
十分なＥＣ／Ｉ０の前記パイロットＰＮオフセットが発見された場合、前記ＵＥによって前記フェムトセルのアイドルハンドオフ（ＨＯ）を実行するための手段と、
十分なＥＣ／Ｉ０のパイロットＰＮオフセットが発見されなかった場合、前記ＵＥを前記マクロセル周波数ＦＭに同調させるための手段と、
をさらに備える、請求項１７に記載の装置。
【請求項１９】
前記ＵＥによってフェムトセルページングチャネルを復調するための手段と、
フェムトセルシステムパラメータメッセージ（ＳＰＭ）を受信するための手段と、
前記ＵＥを前記フェムトセルに登録するための手段と、
をさらに備える、請求項１８に記載の装置。
【請求項２０】
前記ＵＥによって、パラメータ、システムＩＤと，ネットワークＩＤと，基地ＩＤとを確認するための手段と、
前記フェムトセルＳＰＭ中でブロードキャストされた、前記フェムトセルのシステムＩＤと、前記フェムトセルの前記ネットワークＩＤと、基地ＩＤと一致させるための手段と、
一致が確認できなかった場合、前記フェムトセルにアクセスすることを許されるかどうかを判断するために前記フェムトセルへの登録を試みるための手段と、
をさらに備える、請求項１９に記載の装置。
【手続補正２】
【補正対象書類名】明細書
【補正対象項目名】００７０
【補正方法】変更
【補正の内容】
【００７０】
開示した実施形態の前述の説明は、当業者が本発明を実施または使用できるようにするために提供されるものである。これらの実施形態に対する様々な変更は、当業者には容易に明らかとなり、本明細書で定義された一般的な原理は、本発明の精神または範囲から逸脱することなく他の実施形態に適用できる。したがって、本発明は、本明細書に示す実施形態に限定されるものではなく、本明細書で開示する原理および新規の特徴と一致する最も広い範囲を与えられるべきある。
以下に、本願出願の当初の特許請求の範囲に記載された発明を付記する。
（１）  フェムトセルの位置を特定するユーザ機器（ＵＥ）のための方法であって、
少なくとも１つのフェムトセルの位置を特定する情報をデータベースに記憶することと、
少なくとも１つのマクロセルから、前記ＵＥの位置情報を受信することと、
前記ＵＥが少なくとも１つのフェムトセルの略近傍にあるかどうかを判断するために前記データベース内を検索することと、
略近傍にある場合、前記フェムトセルに対応する前記データベース情報を使用して前記フェムトセルにアクセスすることと、
を備える方法。
（２）  システムＩＤデータベースエントリが前記フェムトセルの周りの前記マクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致する、一致を求めて前記データベースを検索することと、
一致がある場合、前記ＵＥをフェムトセル周波数ＦＦに同調させることと、
ＣＤＭＡ信号のサンプルセグメントを取り出すことと、
パイロットＰＮオフセット（Offset）のパイロット検索を行うことと、
一致がない場合、前記ＵＥをマクロセル周波数ＦＭに同調させることと、
をさらに備える、（１）に記載の方法。
（３）  十分なＥＣ／Ｉ０をもつ前記パイロットＰＮオフセットを求めて前記データベースを検索することと、
十分なＥＣ／Ｉ０の前記パイロットＰＮオフセットが発見された場合、前記ＵＥによって前記フェムトセルのアイドルハンドオフ（ＨＯ：Handoff）を実行することと、
十分なＥＣ／Ｉ０のパイロットＰＮオフセットが発見されなかった場合、前記ＵＥを前記マクロセル周波数ＦＭに同調させることと、
をさらに備える、（２）に記載の方法。
（４）  前記ＵＥによってフェムトセルページングチャネルを復調することと、
前記フェムトセルのシステムパラメータメッセージ（ＳＰＭ：System Parameters Message）を入手することと、
前記ＵＥを前記フェムトセルに登録することと、
をさらに備える、（３）に記載の方法。
（５）  復調プロセスが、
前記ＵＥによって、パラメータ、システムＩＤと，ネットワークＩＤと，基地ＩＤとを確認することと、
前記フェムトセルＳＰＭ中でブロードキャストされた、前記フェムトセルのシステムＩＤと、前記フェムトセルの前記ネットワークＩＤと、基地ＩＤと一致させることと、
一致が確認できなかった場合、前記フェムトセルにアクセスすることを許されるかどうかを判断するために前記フェムトセルへの登録を試みることと、
をさらに備える、（４）に記載の方法。
（６）  ユーザ機器（ＵＥ）であって、
前記ＵＥによって取得され、前記ＵＥに対して個別設定され、前記ＵＥに記憶されたフェムトセルのデータベースを備え、
データベース情報が、フェムトセルごとに、搬送周波数と、位置と、所与のしきい値よりも高いＥＣ／Ｉ０をもつＣＤＭＡパイロット（Pilots）オフセットのリストと、前記フェムトセルのシステムＩＤと、前記フェムトセルのネットワークＩＤと、前記フェムトセルのブロードキャストされた基地ＩＤと、を含み、
前記ＵＥが少なくとも１つのフェムトセルの略近傍にあるかどうかを判断するために、前記ＵＥが前記データベースを検索し、
略近傍にある場合、前記ＵＥが前記フェムトセルに対応する前記データベース情報を使用して前記フェムトセルにアクセスする、
ユーザ機器（ＵＥ）。
（７）  前記データベース中に一致がある場合のみ、前記フェムト検索が行われる、（６）に記載のユーザ機器（ＵＥ）。
（８）  前記データベースの一致は、システムＩＤが前記フェムトセルの周りの前記マクロシステムの前記システムＩＤに一致し、ネットワークＩＤが前記フェムトセルの周りの前記マクロシステムの前記ネットワークＩＤに一致し、基地ＩＤが前記マクロセルの前記基地ＩＤに一致し、基地緯度が前記マクロセルの前記緯度に一致し、且つ、基地経度が前記マクロセルの前記経度に一致するときである、（７）に記載のユーザ機器（ＵＥ）。
（９）  データベースの一致がある場合、前記ＵＥをフェムトセル周波数ＦＦに同調させる、（８）に記載のユーザ機器（ＵＥ）。
（１０）  データベースの一致がない場合、前記ＵＥをマクロセル周波数ＦＭに同調させる、（８）に記載のユーザ機器（ＵＥ）。
（１１）  コンピュータに、
少なくとも１つのフェムトセルの位置を特定する情報をデータベースに記憶させ、
少なくとも１つのマクロセルから前記ＵＥの位置情報を受信させ、
前記ＵＥが少なくとも１つのフェムトセルの略近傍にあるかどうかを判断するために前記データベース内を検索させ、
略近傍にある場合、前記フェムトセルに対応する前記データベース情報を使用して前記フェムトセルにアクセスさせる、
ためのコードを備える、コンピュータ可読媒体、
を備える、コンピュータプログラム製品。
（１２）  コンピュータに、
システムＩＤデータベースエントリが前記フェムトセルの周りの前記マクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、基地経度が前記マクロセルの前記経度に一致する、一致を求めて前記データベースを検索させ、
一致がある場合、前記ＵＥをフェムトセル周波数ＦＦに同調させ、
ＣＤＭＡ信号のサンプルセグメントを取り出させ、
パイロットＰＮオフセットのパイロット検索を行わせ、
一致がない場合、前記ＵＥをマクロセル周波数ＦＭに同調させる、
ためのコードをさらに備える、（１１）に記載のコンピュータプログラム製品。
（１３）  コンピュータに、
十分なＥＣ／Ｉ０をもつ前記パイロットＰＮオフセットを求めて前記データベースを検索させ、
十分なＥＣ／Ｉ０の前記パイロットＰＮオフセットが発見された場合、前記ＵＥによって前記フェムトセルのアイドルハンドオフ（ＨＯ）を実行させ、
十分なＥＣ／Ｉ０のパイロットＰＮオフセットが発見されなかった場合、前記ＵＥを前記マクロセル周波数ＦＭに同調させる、
ためのコードをさらに備える、（１１）に記載のコンピュータプログラム製品。
（１４）  コンピュータに、
前記ＵＥによってフェムトセルページングチャネルを復調させ、
前記フェムトセルのシステムパラメータメッセージ（ＳＰＭ）を入手させ、
前記ＵＥを前記フェムトセルに登録させる、
ためのコードをさらに備える、（１１）に記載のコンピュータプログラム製品。
（１５）  コンピュータに、
前記ＵＥによって、パラメータ、システムＩＤと，ネットワークＩＤと，基地ＩＤとを確認させ、
前記フェムトセルＳＰＭ中でブロードキャストされた、前記フェムトセルのシステムＩＤと、前記フェムトセルの前記ネットワークＩＤと、基地ＩＤと一致させ、
一致が確認できなかった場合、前記フェムトセルにアクセスすることを許されるかどうかを判断するために前記フェムトセルへの登録を試みさせる、
ためのコードをさらに備える、（１４）に記載のコンピュータプログラム製品。
（１６）  少なくとも１つのフェムトセルの位置を特定する情報をデータベースに記憶するための手段と、
少なくとも１つのマクロセルからＵＥの位置情報を受信するための手段と、
前記ＵＥが少なくとも１つのフェムトセルの略近傍にあるかどうかを判断するために前記データベース内を検索するための手段と、
略近傍にある場合、前記フェムトセルに対応する前記データベース情報を使用して前記フェムトセルにアクセスするための手段と、
を備える、フェムトセルの位置を特定する装置。
（１７）  システムＩＤデータベースエントリが前記フェムトセルの周りの前記マクロシステムの前記システムＩＤに一致し、ネットワークＩＤデータベースエントリが前記フェムトセルの周りの前記マクロシステムの前記ネットワークＩＤに一致し、基地ＩＤデータベースエントリが前記マクロセルの前記基地ＩＤに一致し、基地緯度が前記マクロセルの前記緯度に一致し、且つ、基地経度が前記マクロセルの前記経度に一致する、一致を求めて前記データベースを検索するための手段と、
一致がある場合、前記ＵＥをフェムトセル周波数ＦＦに同調させることと、
ＣＤＭＡ信号のサンプルセグメントを取り出すことと、
パイロットＰＮオフセットのパイロット検索を行うことと、
一致がない場合、前記ＵＥをマクロセル周波数ＦＭに同調させることと、
をさらに備える、（１６）に記載の装置。
（１８）  十分なＥＣ／Ｉ０をもつ前記パイロットＰＮオフセットを求めて前記データベースを検索するための手段と、
十分なＥＣ／Ｉ０の前記パイロットＰＮオフセットが発見された場合、前記ＵＥによって前記フェムトセルのアイドルハンドオフ（ＨＯ）を実行するための手段と、
十分なＥＣ／Ｉ０のパイロットＰＮオフセットが発見されなかった場合、前記ＵＥを前記マクロセル周波数ＦＭに同調させるための手段と、
をさらに備える、（１７）に記載の装置。
（１９）  前記ＵＥによってフェムトセルページングチャネルを復調するための手段と、
前記フェムトセルのシステムパラメータメッセージ（ＳＰＭ）を入手するための手段と、
前記ＵＥを前記フェムトセルに登録するための手段と、
をさらに備える、（１８）に記載の装置。
（２０）  復調するための手段が、
前記ＵＥによって、パラメータ、システムＩＤと，ネットワークＩＤと，基地ＩＤとを確認するための手段と、
前記フェムトセルＳＰＭ中でブロードキャストされた、前記フェムトセルのシステムＩＤと、前記フェムトセルの前記ネットワークＩＤと、基地ＩＤと一致させるための手段と、
一致が確認できなかった場合、前記フェムトセルにアクセスすることを許されるかどうかを判断するために前記フェムトセルへの登録を試みるための手段と、
をさらに備える、（１９）に記載の装置。
（２１）  フェムトセルの位置を特定するユーザ機器（ＵＥ）のための方法であって、
ある時間期間にわたって総パイロット位相偏差を推定することによってモビリティの程度を評価することができる、前記ＵＥが低モビリティ状態であるかどうかを前記ＵＥによって判断することと、
フェムトセルが展開される周波数に同調させることと、
信号サンプルを取り出すことと、
フェムトセル使用に確保されたすべてのパイロットＰＮオフセットの検索を行うことと、
前記フェムトセルを発見することと、
前記フェムトセルが使用を許可されているかどうかを前記ＵＥによって判断することと、
許可されている場合、前記ＵＥを前記フェムトセルに登録することと、
許可されていない場合、マクロシステムの監視に戻ることと、
を備える方法。
（２２）  そのモビリティ状態を評価するために、前記ＵＥが、複数のマクロセルのパイロット位相偏移を使用する、（２１）に記載の方法。
（２３）  前記ＵＥが、前記マクロセルからのそのネイバーリスト中でパイロットを検索し、前記パイロット位相に関する未加工情報を入手し、それに基づいてそのモビリティ状態を決定する、（２１）に記載の方法。
（２４）  前記ＵＥが、前記ＵＥが監視する前記マクロシステム上のページを開放することなくサンプルを取り出す、（２１）に記載の方法。
（２５）  対象とされる検索のために取り出された前記サンプルが、新たなフェムトセルを発見するために再利用され得る、（２４）に記載の方法。
（２６）  ある時間期間にわたって総パイロット位相偏差を推定することによってモビリティの程度を評価することができる、前記ＵＥが低モビリティ状態であるかどうかを前記ＵＥによって判断するための手段と、
フェムトセルが展開される周波数に同調させるための手段と、
信号サンプルを取り出すための手段と、
フェムトセル使用に確保されたすべてのパイロットＰＮオフセットの検索を行うための手段と、
前記フェムトセルを発見するための手段と、
前記フェムトセルが使用を許可されているかどうかを前記ＵＥによって判断するための手段と、
許可されている場合、前記ＵＥを前記フェムトセルに登録するための手段と、
許可されていない場合、マクロシステムの監視に戻るための手段と、
を備える、フェムトセルの位置を特定する装置。
（２７）  前記ＵＥが、そのモビリティ状態を評価するために、複数のマクロセルのパイロット位相偏移を使用する、（２６）に記載の装置。
（２８）  前記ＵＥが、前記マクロセルからのそのネイバーリスト中でパイロットを検索し、前記パイロット位相に関する未加工情報を入手し、それに基づいてそのモビリティ状態を決定する、（２６）に記載の装置。
（２９）  前記ＵＥが、前記ＵＥが監視する前記マクロシステム上のページを開放することなくサンプルを取り出す、（２６）に記載の装置。
（３０）  対象とされる検索のために取り出された前記サンプルが、新たなフェムトセルを発見するために再利用され得る、（２６）に記載の装置。
（３１）  コンピュータに、
ある時間期間にわたって総パイロット位相偏差を推定することによってモビリティの程度を評価することができる、前記ＵＥが低モビリティ状態であるかどうかを前記ＵＥによって判断させ、
フェムトセルが展開される周波数に同調させ、
信号サンプルを取り出させ、
フェムトセル使用に確保されたすべてのパイロットＰＮオフセットの検索を行わせ、
前記フェムトセルを発見させ、
前記フェムトセルが使用を許可されているかどうかを前記ＵＥによって判断させ、
許可されている場合、前記ＵＥを前記フェムトセルに登録させ、
許可されていない場合、マクロシステムの監視に戻させる、
ためのコードを備える、コンピュータ可読媒体、
を備える、コンピュータプログラム製品。
（３２）  前記ＵＥが、そのモビリティ状態を評価するために、複数のマクロセルのパイロット位相偏移を使用する、（３１）に記載のコンピュータプログラム製品。
（３３）  コンピュータに、
前記マクロセルからのそのネイバーリスト中でパイロットを検索させ、前記パイロット位相に関する未加工情報を入手させ、それに基づいてそのモビリティ状態を決定させる、
ためのコードをさらに備える、（３１）に記載のコンピュータプログラム製品。
（３４）  コンピュータに、前記ＵＥが監視する前記マクロシステム上のページを開放することなくサンプルを取り出させるためのコードをさらに備える、（３１）に記載のコンピュータプログラム製品。
（３５）  コンピュータに、新たなフェムトセルを発見するために再利用するための、対象とされる検索のためのサンプルを取り出させるためのコードをさらに備える、（３１）に記載のコンピュータプログラム製品。
（３６）  ユーザ機器（ＵＥ）であって、
ある時間期間にわたって総パイロット位相偏差を推定することによってモビリティの程度を評価することができる、前記ユーザ機器の低モビリティ状態を判断するプロセッサと、
フェムトセルが展開される周波数に同調させる受信機と、
を備え、
前記プロセッサは、信号サンプルを取り出し、フェムトセル使用に確保されたすべてのパイロットＰＮオフセットの検索を行い、前記フェムトセルを発見し、前記フェムトセルが使用を許可されているかどうかを判断し、
許可されている場合、前記ＵＥ自体を前記フェムトセルに登録し、
許可されていない場合、マクロシステムの監視に戻る、
ユーザ機器（ＵＥ）。
（３７）  前記ＵＥが、そのモビリティ状態を評価するために、複数のマクロセルのパイロット位相偏移を使用する、（３６）に記載のユーザ機器（ＵＥ）。
（３８）  前記ＵＥが、前記マクロセルからのそのネイバーリスト中でパイロットを検索し、前記パイロット位相に関する未加工情報を入手し、それに基づいてそのモビリティ状態を決定する、（３６）に記載のユーザ機器（ＵＥ）。
（３９）  前記ＵＥが、前記ＵＥが監視する前記マクロシステム上のページを開放することなくサンプルを取り出す、（３６）に記載のユーザ機器（ＵＥ）。
（４０）  対象とされる検索のために取り出された前記サンプルが、新たなフェムトセルを発見するために再利用され得る、（３６）に記載のユーザ機器（ＵＥ）。
【外国語明細書】
2014030195000001.pdf